(57)【要約】【課題】霧を噴き出して冷却する屋外空間の範囲を効果的に制御すること。【解決手段】冷却装置１は、供給口２７から供給された気流を流す流路を形成するとともに、気流を外部に吹き出す複数の通気孔１８からなる第１の通気孔群、第１の通気孔群から吹き出された気流と衝突する向きに気流を吹き出す複数の通気孔１７からなる第２の通気孔群、および、第１の通気孔群と第２の通気孔群との間に設けられ、霧を外部に噴き出す複数の噴霧ノズル１５からなる噴霧ノズル群を有する通気管５と、第１の通気孔群および／または第２の通気孔群に属する通気孔から吹き出される気流の風量および／または風向を調整する調整部と、を備える。【選択図】図１
2017161155.tif 000002
【特許請求の範囲】
【請求項１】
供給口から供給された気流を流す流路を形成するとともに、気流を外部に吹き出す複数の通気孔からなる第１の通気孔群、前記第１の通気孔群から吹き出された気流と衝突する向きに気流を吹き出す複数の通気孔からなる第２の通気孔群、および、前記第１の通気孔群と前記第２の通気孔群との間に設けられ、霧を外部に噴き出す複数の噴霧ノズルからなる噴霧ノズル群を有する通気管と、
前記第１の通気孔群および／または前記第２の通気孔群に属する通気孔から吹き出される気流の風量および／または風向を可変に調整する調整部と、
を備える冷却装置。
【請求項２】
前記調整部は、前記風量を調整するインバータを含む請求項１に記載の冷却装置。
【請求項３】
前記調整部は、前記風向を調整するルーバーを含む請求項１または２に記載の冷却装置。
【請求項４】
前記調整部は、前記第１の通気孔群および／または第２の通気孔群に属する通気孔の開口度を変更する部材を含む請求項１〜３のいずれか１項に記載の冷却装置。
【発明の詳細な説明】
【技術分野】
【０００１】
本発明は、霧を屋外空間に噴き出して屋外空間を冷却する冷却装置に関する。
【背景技術】
【０００２】
夏場の気温が高いとき、日射によって路面付近の温度が非常に高くなることがある。この場合、路面からの照り返しによって通行者の体感温度が上昇し、通行者の不快感が増大する。
【０００３】
このような不快感を軽減するため、特許文献１には、霧を歩道などの通路に向けて水平方向に噴き出し、通行者の不快感を軽減する技術が開示されている。
【先行技術文献】
【特許文献】
【０００４】
【特許文献１】特開平６−１７０２９４号公報
【発明の概要】
【発明が解決しようとする課題】
【０００５】
しかしながら、特許文献１に記載の従来技術では、単に霧を通路に水平方向に噴き出すだけであるので、冷却する屋外空間の範囲を効果的に制御することが難しい。その結果、通行者の不快感を十分に軽減することができなくなる。
【０００６】
本発明は、霧を噴き出して冷却する屋外空間の範囲を効果的に制御することが可能な冷却装置を提供することを目的とする。
【課題を解決するための手段】
【０００７】
本発明に係る冷却装置は、供給口から供給された気流を流す流路を形成するとともに、気流を外部に吹き出す複数の通気孔からなる第１の通気孔群、第１の通気孔群から吹き出された気流と衝突する向きに気流を吹き出す複数の通気孔からなる第２の通気孔群、および、第１の通気孔群と第２の通気孔群との間に設けられ、霧を外部に噴き出す複数の噴霧ノズルからなる噴霧ノズル群を有する通気管と、第１の通気孔群および／または第２の通気孔群に属する通気孔から吹き出される気流の風量および／または風向を可変に調整する調整部と、を備える。
【発明の効果】
【０００８】
本発明によれば、霧を噴き出して冷却する屋外空間の範囲を効果的に制御することができる。
【図面の簡単な説明】
【０００９】
【図１】本発明の実施形態に係る冷却装置の構成の一例を示す模式図
【図２】開口している通気孔の数の変更方法について説明する断面図
【図３】開口している通気孔の数の変更方法について説明する断面図
【図４】開口している通気孔の数の変更方法について説明する断面図
【図５】通気孔の数と気流空間の範囲の関係について説明する概略図
【図６】通気孔の数と気流空間の範囲の関係について説明する概略図
【図７】通気孔の数と気流空間の範囲の関係について説明する概略図
【図８】通気孔の数と気流空間の範囲の関係について説明する概略図
【図９】通気孔の数と気流空間の範囲の関係について説明する概略図
【図１０】通気孔の数と気流空間の範囲の関係について説明する概略図
【図１１】各通気孔の開口面積の変更に用いられる回転部材の一例を示す断面図
【図１２】開口している通気孔の数の変更方法について説明する断面図
【発明を実施するための形態】
【００１０】
以下、本発明の実施の形態について、図面を参照して詳細に説明する。
【００１１】
（実施の形態１）
図１は、本発明の実施形態に係る冷却装置１の構成の一例を示す模式図である。冷却装置１は、例えば、屋外で路面等の地面に立てて使用され、冷却装置１の周囲の屋外空間を冷却する円柱状の装置である。
【００１２】
図１に示すように、冷却装置１は、インバータ２、送風機３、水回路４、通気管５を備えている。そして、送風機３は、通気管５に空気配管６により接続され、水回路４は、通気管５に水配管１４により接続される。
【００１３】
インバータ２は、送風機３の風量を制御する。インバータ２は、図示しない制御線により、送風機３と接続されている。
【００１４】
送風機３は、例えば、押し込み型のインバーターファンである。送風機３の送風量は、インバータ２により可変に制御される。そして、送風機３が発生させた気流は、空気配管６により通気管５に導かれる。
【００１５】
また、水回路４は、上水道に接続され、水配管１４を介して上水道の水を、後述する噴霧ノズル１５、１６に供給する。なお、水回路４に供給する水は上水道に限定されない。イオン交換水や膜ろ過水など、スケール成分の除去処理をした水を用いることができる。これにより、噴霧ノズル１５、１６の詰まりを防止することができる。
【００１６】
この水回路４は、水抜き弁７、水量調整弁８、減圧弁９、逆止弁１０、フィルタ１１、水温度センサ１２、水量センサ１３を備える。
【００１７】
水抜き弁７は、水回路４の下流に設けられ、水回路４内の水を抜くために開放される弁である。
【００１８】
水量調整弁８は、通気管５に供給する水量を調整する弁である。この水量調整弁８は、水抜き弁７の上流側に設けられる。
【００１９】
減圧弁９は、水量調整弁８の上流側に設けられ、通気管５に供給する水の圧力を設定された値に調整する弁である。
【００２０】
また、逆止弁１０は、減圧弁９の上流側に設けられ、水の逆流を防止する弁である。
【００２１】
フィルタ１１は、逆止弁１０の上流側に設けられる。フィルタ１１は、水に含まれる異物を取り除き、異物が水流に乗って通気管５に流れ込むのを防止するフィルタである。
【００２２】
水温度センサ１２は、通気管５に供給される水の温度を検知するセンサである。水量センサ１３は、通気管５に供給される水の水量を検知するセンサである。
【００２３】
水量調整弁８は、水温度センサ１２、および、水量センサ１３がそれぞれ検知した水温、および、水量に基づいて、その開度を制御する。
【００２４】
通気管５は、例えば、耐水性および耐腐食性に優れた鉄系、アルミ系金属材料を主成分とする合金板、あるいは、フェノール樹脂（ＰＦ）、メラミン樹脂（ＭＦ）、フッ素樹脂（ＰＴＦＥ）、ポリアミド（ＰＡ）、ポリプロピレン（ＰＰ）、ポリフェニレンサルファド（ＰＰＳ）等の樹脂材料から形成される。これにより、通気管５が屋外で使用された場合でも、雨滴や紫外線による影響を防ぐことができる。
【００２５】
そして、通気管５の上部には、複数の噴霧ノズル１５からなる噴霧ノズル群が設けられ、複数の噴霧ノズル１５の下方に所定の間隔を空けて、さらに複数の噴霧ノズル１６からなる噴霧ノズル群が設けられる。噴霧ノズル１５に加え、噴霧ノズル１６をさらに設けることにより、冷却する屋外空間に霧をさらに均一に供給できる。
【００２６】
例えば、通気管５の底部から複数の噴霧ノズル１５からなる噴霧ノズル群の中心までの高さＡは２２００ｍｍ、通気管５の底部から複数の噴霧ノズル１６からなる噴霧ノズル群までの高さＢは１３００ｍｍであり、円管状の通気管５の外径Ｃは３５０ｍｍである。
【００２７】
なお、ここでは、通気管５に２つの噴霧ノズル群が設けられることとしたが、複数の噴霧ノズル１６からなる噴霧ノズル群はなくてもよく、また、複数の噴霧ノズル１６からなる噴霧ノズル群の下部に、さらに、複数の噴霧ノズルからなる噴霧ノズル群が１つ以上設けられてもよい。
【００２８】
ここで、各噴霧ノズル群に属する噴霧ノズル１５、１６は、通気管５の周方向に所定の間隔を空けて形成されている。そして、噴霧ノズル１５、１６の形状は、円形であってもよいし、矩形であってもよいし、その他の形状であってもよい。
【００２９】
噴霧ノズル１５、１６は、水回路４により供給された水を霧の状態にして通気管５の外部に噴き出すノズルである。噴霧ノズル１５、１６は、例えば、６つずつ設けられる。
【００３０】
なお、霧の平均粒径は２０μｍ以下であることが望ましい。噴霧ノズル１５が霧を噴き出すことにより、通行者の服や、路面等の周囲を濡らすことなく、蒸散効果により周囲の空気を効果的に冷却することができる。
【００３１】
通気孔１７、１８は、送風機３により生成され、通気管５に導かれた気流を通気管５の外部に吹き出す孔である。図１の例では、複数の通気孔１７からなる通気孔群が、噴霧ノズル１５の上部に設けられ、複数の通気孔１８からなる通気孔群が噴霧ノズル１６の上部に設けられる。なお、複数の通気孔１８からなる通気孔群は、噴霧ノズル１６の下部に設けられることとしてもよい。
【００３２】
ここで、図１に示されるように、噴霧ノズル１５は、複数の通気孔１８よりも複数の通気孔１７に近い位置にあり、噴霧ノズル１６は、複数の通気孔１８よりも複数の通気孔１７に近い位置にある。
【００３３】
これにより、噴霧ノズル１５から噴き出される霧、および、噴霧ノズル１６から噴き出される霧を、それぞれ通気孔１７、１８からの気流により効率よく移動させることができる。
【００３４】
通気孔１７、１８は、例えば、各段３０個ずつの２段構成で設けられ、各通気孔１７、１８は３２ｍｍの径となるよう形成される。
【００３５】
例えば、通気管５の底部から複数の通気孔１７からなる通気孔群の中央までの高さＤは２４００ｍｍ、通気管５の底部から複数の通気孔１８からなる通気孔群の中央までの高さＥは１４００ｍｍである。
【００３６】
なお、ここでは、通気管５に２つの通気孔群が設けられることとしたが、複数の通気孔１８からなる通気孔群はなくてもよく、また、複数の通気孔１８からなる通気孔群の下部に、さらに、複数の通気孔からなる通気孔群が１つ以上設けられてもよい。
【００３７】
ここで、各通気孔群に属する通気孔１７、１８は、通気管５の周方向に所定の間隔を空けて形成されている。そして、通気孔１７、１８の形状は、円形であってもよいし、矩形であってもよいし、その他の形状であってもよい。
【００３８】
通気孔１７、１８は、送風機３により供給された気流を通気管５の外部に吹き出す孔である。ここで、通気孔１７からは、後述する椀状部材の働きにより、斜め下方向を向く気流が吹き出し、噴霧ノズル１５から噴き出される霧を斜め下方向に導く。また、通気孔１８からは、水平方向の気流が吹き出し、噴霧ノズル１６から噴き出される霧を水平方向に導く。
【００３９】
ここで、通気管５は、円管状の自立型の装置であり、通気管５の内部に送風機３により気流が供給される。通気管５の内部における気流の流路径Ｆは、例えば２００ｍｍである。
【００４０】
また、通気管５の内部には、ルーバー１９が設けられる。ルーバー１９は、送風機３により気流が供給される供給口２０側に開口する部材である。ルーバー１９の形状は、例えば、円錐台状であり、ルーバー１９の胴部は、ルーバー１９の開口側に向かって末広がりとなる形状を有する。
【００４１】
このような構成により、供給口２０ら供給された気流は、ルーバー１９の中央部分に衝突して方向を変え、ルーバー１９の胴部に沿って流れるようになる。その後、気流は、通気孔１７から斜め下方向に吹き出ることになる。
【００４２】
これにより、噴霧ノズル１５から噴き出される霧を斜め下方向に導くことができる。この場合、通気孔１７は、斜め下方向を向いている必要はなく、横方向を向いていれば十分である。なお、水平面に対する胴部のなす角度は、例えば、３０度や４５度など、適宜設定される。
【００４３】
一方、通気孔１８からは、水平方向に気流が吹き出ることになる。噴霧ノズル１６から噴き出される霧は、この気流に巻き込まれ、水平方向に導かれる。
【００４４】
そして、通気孔１８から吹き出された気流は、通気孔１７から吹き出された気流と衝突し、通気孔１８から吹き出された気流の方向が斜め下方向に変えられる。そして、通気管５の周囲に、噴霧ノズル１５、１６により噴き出された霧が留まる円錐台状の気流空間が形成される。
【００４５】
このような気流空間においては、霧が気化する際に周囲空気の熱が吸収されることにより冷却空気を生成でき、気流空間内の温度を低く保つことができる。また、気流空間において蒸発しきれない霧の一部が地表に落ちて地表を濡らすことにより、いわゆる打ち水効果が生じ、気流空間内の温度を低く保つことができる。
【００４６】
なお、ルーバー１９の形状は、図１に示したような円錐台形状に限定されず、ルーバー１９の胴部が、ルーバー１９の開口側に向かって末広がりとなる形状であればよい。
【００４７】
ここで、気流空間の範囲は、開口している通気孔１８の数を変えることにより調整することができる。以下では、このような気流空間の範囲の調整について説明する。
【００４８】
まず、開口している通気孔１８の数の変更方法について説明する。図２〜図４は、開口している通気孔１８の数の変更方法について説明する断面図である。図２〜図４には、通気管５の構成において、この変更方法を実現する場合が示してある。
【００４９】
ここで、図２には、すべての通気孔１８が開口している場合、図３には、半数の通気孔１８が塞がれている場合、図４には、すべての通気孔１８が塞がれている場合が示されている。
【００５０】
この方法では、図２に示した通気管５の内部に、複数の通気孔１８を徐々に塞ぐことにより複数の通気孔１８から吹き出される気流の風量を調整する移動部材３０が設けられる。この移動部材３０は、通気管５の内部を管軸方向に移動可能に設けられる部材である。
【００５１】
移動部材３０が複数の通気孔１８を徐々に塞ぐことにより、通気孔１８から吹き出される気流の風量を微調整できる。また、通気孔１８を完全に塞ぐことにより、通気孔１８からごみが侵入することを防止することができる。
【００５２】
例えば、移動部材３０は、図示しないモータと、モータの回転力を直線運動に変換する変換機構の働きにより、円管状の通気管５の管軸に沿って移動する。これにより、図２〜図４に示すように、開口している通気孔１８の数が変更される。
【００５３】
なお、ここでは、移動部材３０を通気管５の内部に設けることとしたが、移動部材３０を通気管５の外部に設け、通気孔１８を外側から塞ぐこととしてもよい。
【００５４】
つぎに、通気孔１８の数と気流空間の範囲の関係について説明する。図５〜図１０は、通気孔１８の数と気流空間の範囲の関係について説明する概略図である。図５〜図１０には、通気管５から噴霧ノズル１６を取り去った構成を示している。
【００５５】
ここで、図５〜図７は、最も上にある通気孔１７の上端とルーバー２６の下端との間の距離Ｇが４ｍｍの場合の概略図であり、図８〜図１０は、距離Ｇが８０ｍｍの場合の概略図である。
【００５６】
また、図５には、すべての通気孔１８が開口している場合、図６には、半数の通気孔１８が塞がれている場合、図７には、すべての通気孔１８が塞がれている場合が示されている。
【００５７】
図５〜図７に示すように、塞がれる通気孔１８の数が増えるにつれ、通気孔１８から吹き出される気流の風量が少なくなるため、噴霧ノズル１５により噴き出された霧はより下向きに拡散する。これにより、中心軸から側面までの距離がより小さい円錐台状の気流空間が形成される。
【００５８】
同様のことは、図８〜図１０に示す場合についてもいえる。図８には、すべての通気孔１８が開口している場合、図９には、半数の通気孔１８が塞がれている場合、図１０は、すべての通気孔１８が塞がれている場合が示されている。
【００５９】
図８〜図１０に示すように、塞がれる通気孔１８の数が増えるにつれ、通気孔１８から吹き出される気流の風量が少なくなるため、噴霧ノズル１５により噴き出された霧はより下向きに拡散する。これにより、中心軸から側面までの距離がより小さい円錐台状の気流空間が形成され、気流空間の範囲を効果的に調整できる。
【００６０】
なお、図５と図８、図６と図９、図７と図１０を比較するとわかるように、ルーバー１９を移動させて距離Ｇを変化させることにより、気流が吹き出す通気孔１８の数が同じ場合でも、霧が拡散する方向を変更することができる。
【００６１】
また、ここでは開口している通気孔１８の数を変えることにより気流空間の範囲を調整することとしたが、各通気孔１８の開口面積を変えることにより気流空間の範囲を調整することもできる。以下では、各通気孔１８の開口面積の変更方法について説明する。
【００６２】
図１１は、各通気孔１８の開口面積の変更に用いられる回転部材３１の一例を示す断面図である。この回転部材３１は、通気管５に設けられる通気孔１８と同じ大きさで同じ数だけ形成された通気孔３２を有する管状部材である。
【００６３】
図１２は、開口している通気孔１８の開口面積の変更方法について説明する断面図である。図１２には、通気管５の構成において、この変更方法を実現する場合が示してある。
【００６４】
図１２に示すように、図１１で説明した回転部材３１は、通気管５の管軸を中心として回転可能に設けられ、複数の通気孔１８を徐々に塞ぐことにより気流の風量を調整する。例えば、回転部材３１は、図示しないモータの回転力により管軸を中心として回転する。
【００６５】
回転部材３０が複数の通気孔１８を徐々に塞ぐことにより、通気孔１８から吹き出される気流の風量を微調整できる。また、通気孔１８を完全に塞ぐことにより、通気孔１８からごみが侵入することを防止することができる。
【００６６】
そして、通気管５に形成された通気孔１８と回転部材３１に形成された通気孔３２とが完全に重なると、通気孔１８から気流が吹き出ることになる。
【００６７】
ところが、図１２に示すように、回転部材３１が回転し、通気孔３２の位置が通気孔１８の位置からずれると、通気孔１８が回転部材３１により部分的に、あるいは、完全に塞がれた状態となる。その結果、各通気孔１８の開口面積が変更される。
【００６８】
この場合、通気孔１８の開口面積が小さくなるにつれ、通気孔１８から吹き出される気流の風量が少なくなるため、噴霧ノズル１５により噴き出された霧はより下向きに拡散する。
【００６９】
これにより、開口している通気孔１８の数を変える場合と同様に、中心軸から側面までの距離がより小さい円錐台状の気流空間が形成され、気流空間の範囲を効果的に調整できる。
【００７０】
なお、ここでは、回転部材３１を通気管５の内部に設けることとしたが、回転部材３１を通気管５の外部に設け、通気孔１８を外側から塞ぐこととしてもよい。
【００７１】
また、ここでは、移動部材３０、および、回転部材３１が図２〜図４、図１１に示すような管状部材であることとしたが、例えば、流量調整弁や流量調整ノズルなど、通気孔１８から吹き出される気流の風量を調整する部品であれば、どのようなものでも使用することができる。
【００７２】
さらに、図２〜図１２では、開口している通気孔１８の数や開口面積を変更する場合について説明したが、図２〜図１２で説明した方法と同様の方法で、開口している通気孔１７の数や開口面積を変更することとしてもよい。
【００７３】
この場合、通気孔１７を塞ぐ移動部材３０と通気孔１８を塞ぐ移動部材３０とは互いに独立に移動してもよいし、連動して移動してもよい。同様に、通気孔１７を塞ぐ回転部材３１と通気孔１８を塞ぐ回転部材３１とは互いに独立に回転してもよいし、連動して回転してもよい。
【００７４】
通気孔１７を塞ぐ移動部材３０と通気孔１８を塞ぐ移動部材３０とが独立に移動して、開口している通気孔１７の数や開口面積を増やし、開口している通気孔１８の数や開口面積を減らすことにより、通気孔１８から吹き出される気流の風量に対する通気孔１７から吹き出される気流の風量の比を大きくすることができる。これにより、円錐台状の気流空間をより強固に形成することができる。
【００７５】
一方、通気孔１７を塞ぐ移動部材３０と通気孔１８を塞ぐ移動部材３０とが独立に移動して、開口している通気孔１７の数や開口面積を減らし、開口している通気孔１８の数や開口面積を増やすことにより、通気孔１８から吹き出される気流の風量に対する通気孔１７から吹き出される気流の風量の比を小さくすることができる。これにより、霧を遠くまで拡散させることができ、広範囲の人の体感温度を低下させることができる。
【００７６】
同様に、通気孔１７を塞ぐ回転部材３１と通気孔１８を塞ぐ回転部材３１とが独立に回転して、開口している通気孔１７の開口面積を増やし、開口している通気孔１８の開口面積を減らすことにより、通気孔１８から吹き出される気流の風量に対する通気孔１７から吹き出される気流の風量の比を大きくすることができる。これにより、円錐台状の気流空間をより強固に形成することができる。
【００７７】
一方、通気孔１７を塞ぐ回転部材３１と通気孔１８を塞ぐ回転部材３１とが独立に回転して、開口している通気孔１７の開口面積を減らし、開口している通気孔１８の開口面積を増やすことにより、通気孔１８から吹き出される気流の風量に対する通気孔１７から吹き出される気流の風量の比を小さくすることができる。これにより、霧を遠くまで拡散させることができ、広範囲の人の体感温度を低下させることができる。
【００７８】
通気孔１７を塞ぐ移動部材３０と通気孔１８を塞ぐ移動部材３０とが連動して移動する場合、開口している通気孔１７の数と開口している通気孔１８の数、または、開口している通気孔１７の開口面積と開口している通気孔１８の開口面積とを同じにすることができる。
【００７９】
この場合、開口している通気孔１７の数と開口している通気孔１８の数、または、開口している通気孔１７の開口面積と開口している通気孔１８の開口面積とを同時に減らすことにより、冷却装置１の能力を制限した小風量運転を行うことができる。
【００８０】
一方、開口している通気孔１７の数と開口している通気孔１８の数、または、開口している通気孔１７の開口面積と開口している通気孔１８の開口面積とを同時に増やすことにより、冷却装置１の能力発揮を重視した大風量運転を行うことができる。
【００８１】
また、前述のように、通気孔１７を塞ぐ移動部材３０、および、通気孔１８を塞ぐ移動部材３０は、通気管５の管軸に沿って移動することとしたが、ルーバー１９も、移動部材３０、または、移動部材３０と連動して通気管５の管軸に沿って移動することとしてもよい。
【００８２】
なお、通気孔１７、１８から吹き出される風量を変更する場合、インバータ２が、開口している通気孔１７、１８の数や開口面積に応じて送風機３の風量を制御する。例えば、インバータ２は、開口している通気孔１７、１８の数や開口面積と送風機３の風量との間の関係を定めた情報に基づいて送風機３の風量を制御する。これにより、冷却装置１の効率的な運転が実現できる。
【００８３】
このように、移動部材３０や回転部材３１、ルーバー１９を用いることにより、通気孔１７、１８から吹き出される気流の風量や風向を調整することができ、これによって気流の到達点や到達速度を制御することにより、円錐台状の気流空間の範囲を効果的に制御することができる。
【００８４】
以上説明したように、本実施形態における冷却装置１は、供給口２７から供給された気流を流す流路を形成するとともに、気流を外部に吹き出す複数の通気孔１８からなる第１の通気孔群、第１の通気孔群から吹き出された気流と衝突する向きに気流を吹き出す複数の通気孔１７からなる第２の通気孔群、および、第１の通気孔群と第２の通気孔群との間に設けられ、霧を外部に噴き出す複数の噴霧ノズル１５からなる噴霧ノズル群を有する通気管５と、第１の通気孔群および／または第２の通気孔群に属する通気孔（通気孔１７、または、通気孔１８）から吹き出される気流の風量および／または風向を調整する調整部と、を備える。
【００８５】
このような構成により、気流の到達点、および、到達速度を任意に制御して、円錐台状の気流空間の範囲を効果的に制御することができる。
【００８６】
また、本実施形態における冷却装置１では、調整部は、風量を調整するインバータ２を含む。
【００８７】
風量をインバータ制御することにより、気流の到達点や到達速度を、ハードウェア構成を変更することなく任意に制御することができる。
【００８８】
また、本実施形態における冷却装置１では、調整部は、風向を調整するルーバー１９を含む。
【００８９】
風向をルーバー１９で制御することにより、気流の到達点や到達速度を任意に制御することができる。また、風量をインバータ２で制御する場合、風量と風向を独立に制御することも可能となる。
【００９０】
また、本実施形態における冷却装置１では、調整部は、通気孔１７および／または通気孔１８の開口度を変更する部材を含む。
【００９１】
通気孔１７および／または通気孔１８の開口度を変更することにより、通気孔１７および／または通気孔１８から吹き出される気流の風量の微調整ができる。また、通気孔１７および／または通気孔１８を完全に塞ぐことにより、通気孔１７および／または通気孔１８からごみが侵入することを防止することができる。
【００９２】
以上本発明の実施形態について説明したが、本発明は上記実施形態に限定されるものではなく、本発明の趣旨を逸脱しない範囲で種々の変更が可能である。
【産業上の利用可能性】
【００９３】
本発明は、霧を屋外空間に噴き出して屋外空間を冷却する冷却装置に用いるのに好適である。
【符号の説明】
【００９４】
１  冷却装置
２  インバータ
３  送風機
４  水回路
５  通気管
６  空気配管
７  水抜き弁
８  水量調整弁
９  減圧弁
１０  逆止弁
１１  フィルタ
１２  水温度センサ
１３  水量センサ
１４  水配管
１５、１６  噴霧ノズル
１７、１８、３２  通気孔
１９  ルーバー
２０  供給口
３０  移動部材
３１  回転部材
【図１】
2017161155.tif 000003
【図２】
2017161155.tif 000004
【図３】
2017161155.tif 000005
【図４】
2017161155.tif 000006
【図５】
2017161155.tif 000007
【図６】
2017161155.tif 000008
【図７】
2017161155.tif 000009
【図８】
2017161155.tif 000010
【図９】
2017161155.tif 000011
【図１０】
2017161155.tif 000012
【図１１】
2017161155.tif 000013
【図１２】
2017161155.tif 000014